(57)【要約】【課題】サテライト型オフセット印刷機を駆動する方法であって、版胴と、版胴に対応配置されたブランケット胴とが、同期的に駆動するようにし、版胴の、周方向に位置するセグメントと、ブランケット胴の、周方向に位置するセグメントとが、位置正確に転動し合うようにし、ならびにブランケット胴の、周方向に位置するセグメントと、ブランケット胴と協働する圧胴の、周方向に位置するセグメントとが、位置正確に転動し合うようにする方法を改良して、僅かな手間で１印刷過程において多色刷りを実現するものを提供する。【解決手段】完全に１回転する度に、圧胴１の速度を減少し、次いで再び増加し、ブランケット胴２，３が、周方向６でみて少なくとも１つのセグメント長さ分先行するようにする。【選択図】図１
2006168368.tif 000002
【特許請求の範囲】
【請求項１】
サテライト型オフセット印刷機を駆動する方法であって、
版胴と、該版胴に対応配置されたブランケット胴とが、同期的に駆動するようにし、版胴の、周方向に位置するセグメントと、ブランケット胴の、周方向に位置するセグメントとが、位置正確に転動し合うようにし、ならびにブランケット胴の、周方向に位置するセグメントと、該ブランケット胴と協働する圧胴の、周方向に位置するセグメントとが、位置正確に転動し合うようにする方法において、
完全に１回転する度に、圧胴（１）の速度を減少し、次いで再び増加し、ブランケット胴（２，３）が、周方向（６）でみて少なくとも１つのセグメント長さ分先行するようにすることを特徴とする、サテライト型オフセット印刷機を駆動する方法。
【請求項２】
ブランケット胴（２，３）の複数のセグメント（Ａ，Ｂ，Ｃ，Ｄ）の間に存在する溝（７）が圧胴（１）に対向すると、該圧胴（１）の速度を減少し、次いで再び増加する、請求項１記載の方法。
【請求項３】
サテライト型オフセット印刷機であって、
圧胴が設けられており、該圧胴が、シートに印刷を行うための少なくとも２つのサテライト型印刷ユニットと協働するようになっており、
前記各印刷ユニットが、少なくとも１つのブランケット胴と、インキ装置の設けられた少なくとも１つの版胴とを備えており、
圧胴、ブランケット胴および版胴が、周方向に位置する同じ長さのセグメントを備えており、
圧胴に対してシートを供給しかつ排出するための装置が設けられており、
胴のための少なくとも１つの駆動装置が設けられている形式のものにおいて、
圧胴（１）と、版胴（４，５）とが、同期的に駆動可能になっており、
圧胴（１）の駆動が、ブランケット胴（２，３）および版胴（４，５）の駆動とは無関係に制御可能になっており、
ブランケット胴（２，３）が回転する間に、圧胴（１）の速度が可変になっていることを特徴とする、サテライト型オフセット印刷機。
【請求項４】
圧胴（１）の軸線と、該圧胴（１）に対応配置されたブランケット胴（２，３）の軸線とが、１水平面（ｈ）上で互いに平行に位置する、請求項３記載のサテライト型オフセット印刷機。
【請求項５】
印刷ユニットの版胴（４，５）の軸線と、ブランケット胴（２，３）の軸線とが、前記水平面（ｈ）に対して実質的に垂直に位置する１平面（ｖ）上で互いに平行に位置する、請求項４記載のサテライト型オフセット印刷機。
【請求項６】
版胴（４，５）とブランケット胴（２，３）とが、共通の１つのモータ（３０）によって駆動可能になっている、請求項３記載のサテライト型オフセット印刷機。
【請求項７】
圧胴（１）に、個別的な駆動装置（３１，３４）が対応配置されている、請求項３記載のサテライト型オフセット印刷機。
【請求項８】
版胴（４，５）とブランケット胴（２，３）と圧胴（１）とが、それぞれ同じ長さの２つのセグメント（Ａ，Ｂ，Ｃ，Ｄ，Ｅ，Ｆ，Ｇ，Ｈ，Ｉ，Ｊ）を備えている、請求項３記載のサテライト型オフセット印刷機。
【発明の詳細な説明】
【技術分野】
【０００１】
本発明は、サテライト型オフセット印刷機を駆動する方法であって、版胴と、該版胴に対応配置されたブランケット胴とが、同期的に駆動するようにし、版胴の、周方向に位置するセグメントと、ブランケット胴の、周方向に位置するセグメントとが、位置正確に転動し合うようにし、ならびにブランケット胴の、周方向に位置するセグメントと、該ブランケット胴と協働する圧胴の、周方向に位置するセグメントとが、位置正確に転動し合うようにする方法に関する。
【０００２】
また本発明は、サテライト型オフセット印刷機であって、圧胴が設けられており、該圧胴が、シートに印刷を行うための少なくとも２つのサテライト型印刷ユニットと協働するようになっており、前記各印刷ユニットが、少なくとも１つのブランケット胴と、インキ装置の設けられた少なくとも１つの版胴とを備えており、圧胴、ブランケット胴および版胴が、周方向に位置する同じ長さのセグメントを備えており、圧胴に対してシートを供給しかつ排出するための装置が設けられており、胴のための少なくとも１つの駆動装置が設けられている形式のものに関する。
【背景技術】
【０００３】
ドイツ連邦共和国特許出願公開第１０２５９４９６号明細書から、被印刷材料に多色刷りするためのオフセット印刷機が公知であり、ここでは圧胴、ブランケット胴および版胴が、周方向に位置するそれぞれ同じ長さの少なくとも３つのセグメントを有しており、この場合ブランケット胴におけるセグメントの数は、圧胴におけるセグメントの数の整数倍に１セグメントを加算した数に相当する。すべての胴は、従来慣用の形式で歯車伝動装置によって駆動することができる。同様に個々の胴または胴群に個々の駆動装置を設けることもできる。いずれにせよ胴の駆動は、セグメントが位置正確に転動し合うように行われる。４色印刷では、多数の胴を備えた印刷機構造が形成され、これは材料およびコストの嵩むものである。
【特許文献１】ドイツ連邦共和国特許出願公開第１０２５９４９６号明細書
【発明の開示】
【発明が解決しようとする課題】
【０００４】
したがって本発明の課題は、冒頭で述べたような形式のサテライト型オフセット印刷機を駆動する方法およびサテライト型オフセット印刷機を改良して、僅かな手間で１印刷過程において多色刷りを実現するものを提供することである。
【課題を解決するための手段】
【０００５】
この課題を解決するための本発明の方法によれば、完全に１回転する度に、圧胴の速度を減少し、次いで再び増加し、ブランケット胴が、周方向でみて少なくとも１セグメント長さ分先行するようにする。
【０００６】
またこの課題を解決するための本発明の装置によれば、圧胴と、版胴とが、同期的に駆動可能になっており、圧胴の駆動が、ブランケット胴および版胴の駆動とは無関係に制御可能になっており、ブランケット胴が回転する間に、圧胴の速度が可変になっている。
【発明の効果】
【０００７】
本発明によれば、中央に位置する圧胴に独立した駆動装置が設けられており、圧胴は、回転中に、版胴に対して同期的に駆動されるブランケット胴が周方向でみて１セグメント長さ分先行するように制動され、かつ加速される。
【０００８】
２倍サイズの版胴に関して、同様に２倍サイズのブランケット胴の幾何学的に特別な配置構造では、圧胴における溝の、周方向に位置する幅は次のような大きさで形成されていて、つまり、溝がブランケット胴の溝を通過する際に、圧胴の回転速度がサーボ駆動装置によって減少され、それもその間にブランケット胴および版胴が１印刷面分連続回転するように減少される大きさで形成されている。ブランケット胴の、後続の印刷面の印刷開始と同時に、圧胴は、ブランケット胴の周速度に加速される。
【発明を実施するための最良の形態】
【０００９】
次に本発明の実施の形態を図示の実施例を用いて詳しく説明する。
【００１０】
図１には、圧胴１と２つのブランケット胴（転写胴）２，３と２つの版胴４，５とを備えたサテライト型オフセット印刷機を概略的に示した。胴１〜５は、矢印６の方向で回転可能であり、圧胴１の回転軸線とブランケット胴２，３の回転軸線とは、１水平面ｈ上で互いに平行に位置しており、版胴４，５の回転軸線とブランケット胴２，３の回転軸線とは、１垂直面ｖ上で互いに平行に位置する。各胴１〜５は、周方向でみて同じ長さの印刷面を有する２つのセグメントＡ〜Ｊを備えている。セグメントＡ〜Ｊの間で胴１〜５は溝（通路）７を備えている。圧胴１の溝７には、シート９を保持するためのグリッパシステム８が設けられている。ブランケット胴２，３の溝７には、各セグメントＡ〜Ｊにおける弾性的な被覆体１１のための保持兼緊締装置１０が設けられている。版胴４，５のセグメントＧ〜Ｊに沿ってシート状の版１２が張設されており、シート状の版１２は繰出ローラ１３に貯蔵されていて、巻取リール（巻取ローラ）１４を介して緊張される。印刷時に被覆体１１は、セグメントＥ，Ｆに沿って保持されたシート９と回転接触する。同様にシート状の版１２と各被覆体１１との間に接触が生じる。版胴４，５にインキ装置のローラ１５が対応配置されており、ここではそれぞれインキ着けローラ１６がシート状の版１２に対して胴入れ（当接）および胴抜き（離間）可能である。さらに各版胴４，５に画像形成装置１７が対応配置されており、画像形成装置１７はレーザダイオードアレーを備えており、レーザダイオードアレーによってシート状の版１２に、インキを収容する画素を形成することができる。
【００１１】
さらにサテライト型オフセット印刷機には、シート９をスタック（パイル）１９から個別化してグリッパシステム８に供給するための給紙装置１８が設けられている。詳しく述べると給紙装置１８は、吸着ヘッド２０と、ベルト搬送システムを備えた給紙台２１と、スインググリッパ２２と、供給ドラム２３とを備えている。
【００１２】
さらにサテライト型オフセット印刷機には、グリッパシステム８からスタック２８にシート９を搬送するための、変向ローラ２５，２６を介して案内されるチェングリッパシステム２７を備えた排紙装置２４が設けられている。シート９の搬送経路にヒータ２９が配置されている。
【００１３】
サテライト型オフセット印刷機を駆動するために２つのモータ３０，３１が設けられており、モータ３０，３１は制御装置３２と接続されている。モータ３０は、伝動装置３３を介して歯車列と接続されており、歯車列は、ブランケット胴２，３、版胴４，５およびインキローラ１５，１６を駆動するのに役立つ。モータ３１は、伝動装置３４を介して、圧胴１、供給ドラム２３および変向ローラ２５を駆動するための歯車列と接続されている。ブランケット胴２，３および版胴４，５の回転位置は、回転数センサ３５によって検出される。圧胴１の回転位置は、回転数センサ３６によって得られる。回転数センサ３５，３６は、制御装置３２と接続されている。
【００１４】
図２．１〜図２．１５に基づいて、サテライト型オフセット印刷機の機能形式について詳しく説明する。画像形成装置１７によって、シート状の版１２に、シアン、イエロー、マゼンタおよびブラックの原色による部分画像が形成される。このために圧胴１は、モータ３１によって、図１に示した回転位置にもたらされ、固定され、この場合溝７はブランケット胴２，３に対向して位置する。モータ３０によって、版胴４，５は画像形成のために駆動される。画像形成回転数は、シート状の版１２の特性、ならびに画像形成装置１７におけるレーザダイオードアレーのレーザダイオードの出力および数に影響される。画像形成時には、ブランケット胴２，３およびインキ着けローラ１６は、版胴４，５から胴抜きされている。
【００１５】
印刷時には、ブランケット胴２，３は版胴４，５に胴入れされている。シート状の版１２は、インキ着けローラ１６によって着色され、ここではインキ着けローラ１６はそれぞれ１つのシート状の版１２を着色し、この場合インキ着けローラ１６は、版胴４，５の回転中に周期的に該当する版１２に当接して、再び離間される。印刷時にブランケット胴２，３と版胴４，５とは、同期的かつ連続的にほぼ一定の周速度で回転し、この場合インキはシート状の版１２から被覆体１１に移される。
【００１６】
図２．１には、０°の機械角度でサテライト型オフセット印刷機を示した。第１のシート９は、圧胴１のセグメントＥのグリッパシステムに引き渡される。圧胴１は、隣接するブランケット胴２，３と同じ周速度を有している。圧胴１とブランケット胴２，３と版胴４，５とが同期的に連続回転すると、シートはブラック色で印刷される。ブランケット胴２，３のセグメントＡと圧胴１のセグメントＥとは転動し合う。これについては図２．２において９０°の機械角度で示した。図２．３には、１８０°の機械角度で、第２のシート９が圧胴１のセグメントＦのグリッパシステム８に引き渡された状態を示した。図２．４において２７０度の機械角度で示したように、圧胴１と、これに隣接するブランケット胴２，３とが同期的に連続回転すると、第１のシート９に、セグメントＥにおいてシアン色の第２の部分画像が印刷され、第２のシート９に、セグメントＦにおいてマゼンタ色の第１の部分画像が印刷される。シアンおよびマゼンタ色の部分画像が印刷されると、圧胴１は制動され、これに対して隣接するブランケット胴２，３は一定の速度で連続回転する。そのあとでブランケット胴２，３は１印刷面分前進（先行）し、これについては図２．５〜図２．７において３６０°〜５４０°の機械角度で示した。ブランケット胴２，３のセグメントＡ，Ｃの印刷開始と同時に、圧胴１は、再びブランケット胴２，３の一定の周速度に加速される。図２．８において６３０°の機械角度で示したように、第２のシート９は、セグメントＦにおいてシアン色の第２の部分画像を受け取り、第１のシート９は、セグメントＥにおいてマゼンタ色の第３の部分画像を受け取る。圧胴１とブランケット胴２，３と版胴４，５とが同期的に連続回転すると、図２．９および図２．１０において７２０°および８１０°の機械角度で示したように、第１のシート９に、セグメントＥにおいてイエロー色の第４の部分画像が印刷され、第２のシート９に、セグメントＦにおいてブラック色の第３の部分画像が印刷される。第１のシート９がセグメントＥにおいて完全に印刷されると、印刷終了後に圧胴１は再び制動され、これに対してブランケット胴２，３と版胴４，５とは同期的に連続回転する。図２．１１において９００°の機械角度で示したように、第１のシート９は排紙装置２４のチェングリッパシステム２７に引き渡される。これに対してまだ印刷されていないシート９がセグメントＥにおいてグリッパシステム８に供給される。したがってシート９を完成するのに、圧胴１は２周回転する必要がある。図２．１２および図２．１３には、９９０°および１０８０°の機械角度で、１／２印刷面分のブランケット胴２，３の連続回転を示した。１０８０°の機械角度で、圧胴１は再び隣接するブランケット胴２，３の回転速度に加速されるので、圧胴１の３回目の回転が開始される。次いで第２のシート９はセグメントＦにおいてイエロー色の第４の部分画像で印刷される。第３のシート９は、セグメントＥにおいてブラック色の第１の部分画像を受け取る。この移相は、図２．１４において１１７０°の機械角度で示した。圧胴１とブランケット胴２，３もしくは版胴４，５とが同期的に連続回転すると、第２のシート９はセグメントＦにお���て完全に印刷される。図２．１５において１２６０°の機械角度で示したように、第２のシート９は、排紙装置２４のチェングリッパシステム２７に引き渡され、これに対して印刷されていない次のシート９はセグメントＦにおいてグリッパシステム８に供給される。
【００１７】
このような形式のサテライト型オフセット印刷機のインキ装置は、従来慣用で領域ごとに作用するインキ調量エレメントを備えるか、またはアニロックスインキ装置として形成することもできる。
【００１８】
図３には、圧胴１の回転速度経過を示した。制御装置３２によって、モータ３１は調節され、圧胴１とこれに隣接するブランケット胴２，３との同期走行を有する移相３７の横に、圧胴１の制動移相３８および加速移相３９が存在する。モータ３１のための調節信号を形成するために、制御装置３２において回転数センサ３５，３６の信号が処理される。制御装置３２およびモータ３１は、制動移相３８および加速移相３９が短時間で進行するように設計されている。
【図面の簡単な説明】
【００１９】
【図１】サテライト型オフセット印刷機を示す概略図である。
【図２．１】図１に示したサテライト型オフセット印刷機の移相を０°のステップで示す概略図である。
【図２．２】図１に示したサテライト型オフセット印刷機の移相を９０°のステップで示す概略図である。
【図２．３】図１に示したサテライト型オフセット印刷機の移相を１８０°のステップで示す概略図である。
【図２．４】図１に示したサテライト型オフセット印刷機の移相を２７０°のステップで示す概略図である。
【図２．５】図１に示したサテライト型オフセット印刷機の移相を３６０°のステップで示す概略図である。
【図２．６】図１に示したサテライト型オフセット印刷機の移相を４５０°のステップで示す概略図である。
【図２．７】図１に示したサテライト型オフセット印刷機の移相を５４０°のステップで示す概略図である。
【図２．８】図１に示したサテライト型オフセット印刷機の移相を６３０°のステップで示す概略図である。
【図２．９】図１に示したサテライト型オフセット印刷機の移相を７２０°のステップで示す概略図である。
【図２．１０】図１に示したサテライト型オフセット印刷機の移相を８１０°のステップで示す概略図である。
【図２．１１】図１に示したサテライト型オフセット印刷機の移相を９００°のステップで示す概略図である。
【図２．１２】図１に示したサテライト型オフセット印刷機の移相を９９０°のステップで示す概略図である。
【図２．１３】図１に示したサテライト型オフセット印刷機の移相を１０８０°のステップで示す概略図である。
【図２．１４】図１に示したサテライト型オフセット印刷機の移相を１１７０°のステップで示す概略図である。
【図２．１５】図１に示したサテライト型オフセット印刷機の移相を１２６０°のステップで示す概略図である。
【図３】機械角度に関する圧胴の速度経過を示す線図である。
【符号の説明】
【００２０】
１  圧胴、  ２，３  ブランケット胴、  ４，５  版胴、  ６  矢印、  ７  溝、  ８  グリッパシステム、  ９  シート、  １０  保持兼緊締装置、  １１  被覆体、  １２  シート状の版、  １３  繰出ローラ、  １４  巻取リール、  １５  ローラ、  １６  インキ着けローラ、  １７  画像形成装置、  １８  給紙装置、  １９  スタック、  ２０  吸着ヘッド、  ２１  給紙台、  ２２  スインググリッパ、  ２３  供給ドラム、  ２４  排紙装置、  ２５，２６  変向ローラ、  ２７  チェングリッパシステム、  ２８  スタック、  ２９  ヒータ、  ３０，３１  モータ、  ３２  制御装置、  ３３，３４  伝動装置、  ３５，３６  回転数センサ、  ３７  同期走行移相、  ３８  制動移相、  ３９  加速移相
【図１】
2006168368.tif 000003
【図２．１】
2006168368.tif 000004
【図２．２】
2006168368.tif 000005
【図２．３】
2006168368.tif 000006
【図２．４】
2006168368.tif 000007
【図２．５】
2006168368.tif 000008
【図２．６】
2006168368.tif 000009
【図２．７】
2006168368.tif 000010
【図２．８】
2006168368.tif 000011
【図２．９】
2006168368.tif 000012
【図２．１０】
2006168368.tif 000013
【図２．１１】
2006168368.tif 000014
【図２．１２】
2006168368.tif 000015
【図２．１３】
2006168368.tif 000016
【図２．１４】
2006168368.tif 000017
【図２．１５】
2006168368.tif 000018
【図３】
2006168368.tif 000019